(57)【要約】【課題】複数のセンサ部材の吐水管への組み込み作業で良好な作業性を得られる技術を提供する。【解決手段】吐水管４２内に収容される複数のセンサ部材であって、互いに分離しているセンサケースを有する複数のセンサ部材５６、５８と、吐水管４２から外部に引き出され、複数の配線を束ねた単数の配線群６０と、を備え、複数のセンサ部材５６、５８のそれぞれは、単数の配線群６０を介して吐水管４２の外部の外部電気機器２４に電気的に接続可能である。複数のセンサ部材５６、５８の組み込み作業に要する配線群の引き出し作業の回数を削減でき、その組み込み作業で良好な作業性を得られる。【選択図】図１
2019027253.tif 000002
【特許請求の範囲】
【請求項１】
吐水管内に収容される複数のセンサ部材であって、互いに分離しているセンサケースを有する複数のセンサ部材と、
前記吐水管から外部に引き出され、複数の配線を束ねた単数の配線群と、を備え、
前記複数のセンサ部材のそれぞれは、前記単数の配線群を介して前記吐水管の外部の外部電気機器に電気的に接続可能であるセンサユニット。
【請求項２】
前記複数のセンサ部材には、第１センサ部材と、前記第１センサ部材より前記吐水管の奥側に配置される第２センサ部材とが含まれ、
前記第１センサ部材及び前記第２センサ部材の相対位置を保持するセンサ保持部材を備える請求項１に記載のセンサユニット。
【請求項３】
前記第１センサ部材及び前記第２センサ部材のうちの一方のセンサ部材は、前記吐水管の管軸方向に延びるセンサケースを有し、
前記一方のセンサ部材のセンサケースは、前記吐水管の内周面と前記吐水管内に配置される内部部品とにより前記管軸方向に直交する第１方向の両側から挟まれ、
前記センサ保持部材は、前記吐水管の管軸方向に直交する断面にて前記第１方向と直交する第２方向の両側から前記一方のセンサ部材のセンサケースを挟持する一対の挟持部を有する請求項２に記載のセンサユニット。
【請求項４】
前記センサ保持部材は、前記第１センサ部材及び前記第２センサ部材のうちの一方のセンサ部材のセンサケースを挟持する一対の挟持部を有し、
前記一対の挟持部は、互いに広がる方向に弾性変形可能である請求項２または３に記載のセンサユニット。
【請求項５】
吐水管を有する装置本体と、
前記吐水管内に収容される請求項１から４のいずれかに記載のセンサユニットと、を備える吐水装置。
【発明の詳細な説明】
【技術分野】
【０００１】
本発明は、吐水装置に用いられるセンサユニット及びこれを用いた吐水装置に関する。
【背景技術】
【０００２】
自動水栓に用いられる吐水装置には、通常、吐水の有無をハンズフリーで切り替え可能とするため、被検知物を検知可能なセンサ部材が組み込まれる。この種のセンサ部材は、吐水管に複数組み込まれる場合がある。たとえば、特許文献１には、互いに分離しているセンサケースを有する第１センサ部材及び第２センサ部材を吐水管内に組み込んだ吐水装置が開示されている。
【先行技術文献】
【特許文献】
【０００３】
【特許文献１】特開２０１６−１６０６３１号公報
【発明の概要】
【発明が解決しようとする課題】
【０００４】
特許文献１の吐水装置では、吐水管の外部の電源と個々のセンサ部材とが個別の配線群を介して接続されている。よって、複数のセンサ部材を吐水管に組み込むにあたり、複数の配線群のそれぞれを吐水管の内部から引き出す作業を要してしまう。
【０００５】
本発明のある態様は、このような課題に鑑みてなされ、その目的の１つは、複数のセンサ部材の吐水管への組み込み作業で良好な作業性を得られる技術を提供することにある。
【課題を解決するための手段】
【０００６】
本発明の第１態様はセンサユニットである。第１態様のセンサユニットは、吐水管内に収容される複数のセンサ部材であって、互いに分離しているセンサケースを有する複数のセンサ部材と、前記吐水管から外部に引き出され、複数の配線を束ねた単数の配線群と、を備え、前記複数のセンサ部材のそれぞれは、前記単数の配線群を介して前記吐水管の外部の外部電気機器に電気的に接続可能である。
【０００７】
第１態様によれば、個々のセンサ部材と外部電気機器を個別の配線群を介して接続する構造と比べ、吐水管の内部から引き出すべき配線群の個数を削減できる。これにより、複数のセンサ部材の組み込み作業に要する配線群の引き出し作業の回数を削減でき、その組み込み作業で良好な作業性を得られる。
【図面の簡単な説明】
【０００８】
【図１】本実施形態の吐水装置の設置状態を示す側面図である。
【図２】本実施形態の吐水装置の側面断面図である。
【図３】本実施形態の吐水管の側面断面図である。
【図４】図２の一部の拡大図である。
【図５】未変形状態にあるヘッドホルダーの斜視図である。
【図６】本実施形態のセンサユニットの斜視図である。
【図７】本実施形態のセンサユニットの分解斜視図である。
【図８】本実施形態のセンサユニットと関連する構成の機能ブロックを示すブロック図である。
【図９】図４のＡ−Ａ線端面図である。
【図１０】図４のＢ−Ｂ線端面図である。
【図１１】図１０のＣ−Ｃ線断面の一部を示す図である。
【図１２】工程（４）の途中状態を断面図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の吐水ユニット１０に用いられる吐水装置１２の設置状態を示す側面図である。本実施形態の吐水装置１２はキッチン等の流し台１４の表面に設置される。流し台１４は、表側空間１４ａと裏側空間１４ｂを隔てるとともに吐水装置１２とは別体に設けられ、吐水装置１２を支持する基体の一例となる。
【００１１】
本実施形態の吐水ユニット１０は水栓、詳しくは、自動水栓として機能する。吐水ユニット１０は、主に、吐水装置１２と、収納ボックス１６と、温度調整弁１８と、流量調整弁２０と、電気駆動弁２２と、電力供給装置２４と、を備える。
【００１２】
吐水装置１２は、給水源から給水路２６を通して送られる水を後述する吐水口３６ａから吐き出し可能である。給水路２６には、上流側から下流側にかけて順に、温度調整弁１８、流量調整弁２０、電気駆動弁２２が設置される。収納ボックス１６は、流し台１４の裏側空間１４ｂに配置される。収納ボックス１６には、各弁１８、２０、２２や電力供給装置２４が収納される。
【００１３】
図２は、吐水装置１２の側面断面図である。吐水装置１２は、主に、装置本体３２と、給水ホース３４と、吐水ヘッド３６と、センサユニット３８と、を備える。本実施形態はセンサユニット３８に主な特徴の一つがあるが、先に周辺構造を説明する。
【００１４】
装置本体３２は、支持部材４０と、吐水管４２と、ヘッドホルダー４４とを有する。支持部材４０は、不図示のねじ構造等を用いて流し台１４に固定される。吐水管４２は、支持部材４０により支持される。本実施形態の吐水管４２は金属を素材として構成される。
【００１５】
図３は、吐水管４２の側面断面図である。本実施形態の吐水管４２は、先端側から基端側に向かって順に、上向きに直線状に延びる第１ストレート部４２ａと、上向きに凸となる曲げ部４２ｂと、下向きに直線状に延びる第２ストレート部４２ｃとを有する。本実施形態の吐水管４２は、いわゆるグースネック状をなしている。本実施形態の第１ストレート部４２ａは、曲げ部４２ｂとの境界位置４２ｄより先端側に向かうにつれて拡径するテーパー状をなす。
【００１６】
吐水管４２の先端部には下向きに開く先端開口部４２ｅが形成される。吐水管４２の外周部には先端開口部４２ｅより奥側に第１窓部４２ｆ及び第２窓部４２ｇが形成される。第１窓部４２ｆ及び第２窓部４２ｇは吐水管４２の曲げ部４２ｂに形成される。
【００１７】
図２に戻り、吐水管４２内には吐水装置１２の内部部品が配置される。ここでの内部部品とは、ヘッドホルダー４４、センサユニット３８等である。これら内部部品は、吐水装置１２の組み立て時、吐水管４２の先端開口部４２ｅから奥側に挿入される。
【００１８】
装置本体３２には、吐水管４２の先端開口部４２ｅから奥側に広がり出口部４６ａに至る内部通路４６が形成される。内部通路４６は、流し台１４に形成される挿通孔１４ｃを通して流し台１４の裏側空間１４ｂに連通される。
【００１９】
図４は、図２の一部の拡大図である。図５は、未変形状態にあるヘッドホルダー４４の斜視図である。ヘッドホルダー４４は、吐水管４２の先端側部分の内部に収容され、ビス等の締結具４８を用いて吐水管４２に固定される。
【００２０】
ヘッドホルダー４４は、給水ホース３４が抜挿可能に挿通されるホース挿通孔４４ａが形成される孔壁部４４ｂと、ホース挿通孔４４ａに対して給水ホース３４が抜ける側に設けられる隔壁部４４ｃとを有する。また、ヘッドホルダー４４は、吐水ヘッド３６の出し入れ箇所を少なくとも残して吐水管４２の先端開口部４２ｅを部分的に塞ぐ端板部４４ｄと、ホース挿通孔４４ａに対して給水ホース３４が挿される側に設けられるホースガイド部４４ｅとを有する。
【００２１】
隔壁部４４ｃは、吐水管４２の内周面との間に後述する第１センサ部材５６を収容するセンサ収容室５０を形成する。本実施形態の隔壁部４４ｃは、センサ収容室５０とは壁厚方向の反対側にて吐水管４２の内周面との間に吐水ヘッド３６を収容するヘッド収容室５２を形成する。隔壁部４４ｃには、センサ収容室５０内に収容される第１センサ部材５６を支持する第１センサ支持部４４ｆが設けられる。ホースガイド部４４ｅは、吐水管４２の曲げ部４２ｂ内に曲げ変形した状態で挿通され、内側に挿通される給水ホース３４をガイド可能である。ホースガイド部４４ｅの外周面には、後述する第２センサ部材５８を支持する第２センサ支持部４４ｈが設けられる。
【００２２】
給水ホース３４は、フレキシブルホース等であり、可撓性を持つ素材を用いて構成される。給水ホース３４の内側には前述の給水路２６が形成される。給水ホース３４は、吐水管４２内に挿通され、流し台１４の裏側空間１４ｂに配置される電気駆動弁２２（図１参照）に接続される。
【００２３】
吐水ヘッド３６は、給水ホース３４の下流端部に接続される。本実施形態の吐水ヘッド３６は、吐水管４２の先端側部分の内部、詳しくは、前述のヘッド収容室５２内に配置される。吐水ヘッド３６には、給水ホース３４から流入する水を吐き出すための吐水口３６ａが形成される。吐水ヘッド３６は、バネ部材等の弾性部材を用いたヘッド装着機構５４により装置本体３２のヘッドホルダー４４に脱着可能に装着される。
【００２４】
センサユニット３８の説明に移る。図６は、センサユニット３８の斜視図である。図７は、センサユニット３８の分解斜視図である。センサユニット３８は、第１センサ部材５６と、第２センサ部材５８と、単数の第１配線群６０と、単数の第２配線群６２と、センサ保持部材６４とを備える。
【００２５】
図８は、センサユニット３８と関連する構成の機能ブロックを示すブロック図である。本図を用いて電気駆動弁２２と電力供給装置２４も説明する。
【００２６】
電気駆動弁２２は、電磁弁、電動弁等である。電気駆動弁２２は、後述する制御部７４から伝送される制御信号に基づき給水路２６を開閉可能である。吐水装置１２は、電気駆動弁２２が開状態にあるときに吐水する吐水状態となり、電気駆動弁２２が閉状態にあるときに吐水が停止する吐水停止状態となる。吐水装置１２は、吐水状態にあるとき、温度調整弁１８により調整された温度、かつ、流量調整弁２０により調整された流量の吐水流を吐き出す（図１も参照）。
【００２７】
電力供給装置２４は、センサユニット３８に電力を供給するためのものである。本実施形態の電力供給装置２４は、商用電源の交流電力を直流電力に変換して供給するトランスであるが、電池等でもよい。
【００２８】
センサ部材５６、５８は、センサ部材５６、５８の内部に組み込まれる物体検知センサ６６、６８を用いて、所定の検知エリア内での被検知物の有無を検知するためのものである。第１センサ部材５６内の第１物体検知センサ６６は赤外線式測距センサ、第２センサ部材５８内の第２物体検知センサ６８は赤外線式光量センサである。第１物体検知センサ６６及び第２物体検知センサ６８のそれぞれは光学センサ、つまり、非接触式センサである。図２に示すように、第１センサ部材５６は、吐水管４２の先端開口部４２ｅの外側を検知エリア５６ａとする。この検知エリア５６ａは、吐水管４２の先端開口部４２ｅから下向きに設けられる。第２センサ部材５８は、吐水管４２の第２窓部４２ｇの外側を検知エリア５８ａとする。この検知エリア５８ａは、吐水管４２の第２窓部４２ｇから上向きに設けられる。
【００２９】
図６、図８に示すように、第１センサ部材５６は、中空構造の第１センサケース７０と、第１センサケース７０内に収容される第１物体検知センサ６６とを有する。第１物体検知センサ６６は、第１発光素子及び第１受光素子と、第１発光素子及び第１受光素子に対する制御を通じて被検知物の有無を判定する第１センサ回路とを有する。第１物体検知センサ６６は、第１センサケース７０内に収容される第１回路基板（不図示）に実装される。
【００３０】
第２センサ部材５８は、中空構造の第２センサケース７２と、第２センサケース７２内に収容される第２物体検知センサ６８と、第２センサケース７２内に収容される制御部７４と、第２センサケース７２に取り付けられるオンオフスイッチ７６を有する。第２物体検知センサ６８は、第２発光素子及び第２受光素子と、第２発光素子及び第２受光素子に対する制御を通じて被検知物の有無を判定する第２センサ回路とを有する。第２物体検知センサ６８や制御部７４は、第２センサケース７２内に収容される第２回路基板（不図示）に実装される。
【００３１】
制御部７４は、ワンチップマイクロコンピュータ等であり、ＣＰＵ、ＲＡＭ、ＲＯＭ等を組み合わせて構成される。制御部７４は、第１物体検知センサ６６や第２物体検知センサ６８の検知結果に応じて電気駆動弁２２を開閉するように制御する。制御部７４は、電気駆動弁２２を開閉させるための開弁信号又は閉弁信号を制御信号として後述する信号線６０ｂを通して電気駆動弁２２に伝送する。
【００３２】
本実施形態の制御部７４は、第１物体検知センサ６６が検知状態にあるとき電気駆動弁２２を開状態にし、第１物体検知センサ６６が非検知状態にあるとき電気駆動弁２２を電気駆動弁２２を閉状態にする。また、制御部７４は、第２物体検知センサ６８が非検知状態から検知状態に切り替わる度に、電気駆動弁２２の開閉状態を切り替える。これにより、ハンズフリーで吐水装置１２の吐水の有無を切り替えられる。なお、ここでの検知状態とは、物体検知センサ６６、６８が検知エリア内に被検知物が有ると検知している状態をいい、非検知状態とは、物体検知センサ６６、６８が検知エリア内に被検知物が有ると検知していない状態をいう。
【００３３】
オンオフスイッチ７６は、押す度にオン状態とオフ状態が交互に切り替わる押しボタンである。オンオフスイッチ７６は、第１物体検知センサ６６の動作の有無を切り替えるためのものである。オンオフスイッチ７６は、吐水管４２の第１窓部４２ｆ内に配置される（図４参照）。
【００３４】
第１配線群６０は、複数の第１配線を結束具（不図示）を用いて束ねたものである。図１、図８に示すように、第１配線群６０は、第２センサ部材５８と吐水装置１２の外部に配置される外部電気機器とを電気的に接続するためのものである。本実施形態での外部電気機器とは、収納ボックス１６内に収納される電力供給装置２４である。また、第１配線群６０は、第２センサ部材５８の制御部７４と外部電気機器としての電気駆動弁２２とも電気的に接続している。第１配線には、電力供給装置２４からセンサユニット３８に電力を供給するための電力線６０ａと、電気駆動弁２２との間で信号をやり取りするための信号線６０ｂと、グランド線（不図示）とが含まれる。
【００３５】
第２配線群６２は、第１センサ部材５６の第１物体検知センサ６６と第２センサ部材５８の制御部７４を電気的に接続するためのものである。第２配線群６２には複数の第２配線が含まれる。第２配線には、第２センサ部材５８の制御部７４から第１センサ部材５６の第１物体検知センサ６６に電力を供給するための電力線と、制御部７４と第１物体検知センサ６６との間で信号をやりとりするための信号線と、グランド線とが含まれる。
【００３６】
ここで、制御部７４は、電力供給装置２４から電力線６０ａを通して供給される電力を受けて動作する。また、制御部７４は、電力供給装置２４から供給される電力を第１物体検知センサ６６の動作用の電力に変換して、第２配線群６２の電力線を通して第１物体検知センサ６６に供給する。また、制御部７４は、電力供給装置２４から供給される電力を第２物体検知センサ６８の動作用の電力に変換して第２物体検知センサ６８に供給する。このように複数のセンサ部材５６、５８には、共通の電力供給装置２４から単数の第１配線群６０の電力線６０ａを通して電力が供給される。このとき、第１センサ部材５６には、電力供給装置２４から単数の第１配線群６０、第２センサ部材５８、第２配線群６２を通して電力が供給される。これは、第１センサ部材５６及び第２センサ部材５８のそれぞれが、単数の第１配線群６０を介して電力供給装置２４に電気的に接続されていることを意味する。
【００３７】
図９は、図４のＡ−Ａ線端面図である。本図では、第１センサ部材５６（第１センサケース７０）の内部構造を省略する。図４、図９に示すように、第１センサ部材５６は、吐水管４２の先端側部分の内部、詳しくは、前述のセンサ収容室５０内に配置される。第１センサ部材５６の第１センサケース７０は、吐水管４２の管軸方向に延びている。ここでの管軸方向とは、吐水管４２の中心軸線に沿った方向をいう。以下、吐水管４２の管軸方向に直交する断面にて管軸方向に直交する第１方向を高さ方向Ｙとし、その高さ方向Ｙに直交する方向を幅方向Ｘとする。
【００３８】
本実施形態の第１センサケース７０は、吐水管４２の管軸方向に直交する断面にて、高さ方向Ｙに沿った高さ寸法が幅方向Ｘに沿った幅寸法より小さい扁平な断面形状である。第１センサケース７０は、吐水管４２の内周面とヘッドホルダー４４の第１センサ支持部４４ｆとの間に高さ方向Ｙの両側から挟まれている。第１センサケース７０は、吐水管４２の内周面に当てられた状態でヘッドホルダー４４の第１センサ支持部４４ｆにより下側から支持されることで、吐水管４２内での位置が保持される。
【００３９】
吐水管４２の先端側を向く第１センサケース７０の前面部には、吐水管４２の先端側に突き出る第１嵌込部７０ａが設けられる。第１センサケース７０の第１嵌込部７０ａは、ヘッドホルダー４４の端板部４４ｄに形成される第３窓部４４ｇに嵌め込まれる。第１センサ部材５６は、第１センサケース７０の第１嵌込部７０ａを通して外側の検知エリアに向けて発光素子から検知光を投光し、検知光の反射光を受光素子により受光することで被検知物を検知可能である。
【００４０】
第２センサ部材５８は、第１センサ部材５６とは分離している。詳しくは、第２センサ部材５８の第２センサケース７２は、第１センサ部材５６の第１センサケース７０と分離している。第１センサ部材５６と第２センサ部材５８は、互いに分離している個別のセンサケース７０、７２を有していると捉えられる。第２センサ部材５８は、第１センサ部材５６より吐水管４２の奥側に配置される。第２センサ部材５８の第２センサケース７２は、吐水管４２の管軸方向に延びている。本実施形態の第２センサケース７２は、吐水管４２の曲げ部４２ｂの曲率半径に対応する曲率半径で湾曲する。
【００４１】
図１０は、図４のＢ−Ｂ線端面図である。本図では、第２センサ部材５８（第２センサケース７２）の内部構造を省略する。図４、図１０に示すように、本実施形態の第２センサケース７２は、吐水管４２の管軸方向に直交する断面にて、高さ方向Ｙに沿った高さ寸法が幅方向Ｘに沿った幅寸法より小さい扁平な断面形状である。第２センサケース７２は、ヘッドホルダー４４の第２センサ支持部４４ｈと吐水管４２の内周面との間に高さ方向Ｙの両側から挟まれている。第２センサケース７２は、吐水管４２の内周面に当てられた状態でヘッドホルダー４４の第２センサ支持部４４ｈにより下側から支持されることで、吐水管４２内での位置が保持される。
【００４２】
第２センサケース７２の高さ方向Ｙの一方側を向く上面部（片面部）には、高さ方向Ｙの一方側に向けて突き出る第２嵌込部７２ａが設けられる。ここでの高さ方向Ｙの一方側とは、第２センサケース７２に対してヘッドホルダー４４とは高さ方向Ｙの反対側をいう。第２センサケース７２の第２嵌込部７２ａは吐水管４２の第２窓部４２ｇに嵌め込まれる。第２センサ部材５８は、第２センサケース７２の第２嵌込部７２ａを通して外側の検知エリアに向けて発光素子から検知光を投光し、検知光の反射光を受光素子により受光することで被検知物を検知可能である。
【００４３】
図１に示すように、第１配線群６０の一端部は、吐水管４２の奥側を向く第２センサ部材５８の後端部に接続される。第１配線群６０は、第２センサ部材５８に対する接続箇所から吐水管４２内の奥側に向けて延びるように配置され、内部通路４６の出口部４６ａから流し台１４の裏側空間１４ｂに引き出される。第１配線群６０は、吐水管４２から外部に引き出されることになる。
【００４４】
第２配線群６２の一端部は、吐水管４２の奥側を向く第１センサ部材５６の後端部に接続され、その他端部は、吐水管４２の先端側を向く第２センサ部材５８の前端部に接続される。
【００４５】
図４、図７に示すように、センサ保持部材６４は、第１センサ部材５６、第２センサ部材５８及び第２配線群６２とは別体に設けられる。また、センサ保持部材６４は、これらから分離可能に設けられる。センサ保持部材６４は、第１センサ部材５６や第２センサ部材５８の吐水管４２への組み込み作業で、第１センサ部材５６や第２センサ部材５８の相対位置を保持する。本実施形態のセンサ保持部材６４は、吐水管４２の管軸方向での相対位置の他に、管軸方向に直交する二方向（幅方向Ｘ、高さ方向Ｙ）での相対位置を保持する。本実施形態のセンサ保持部材６４は、樹脂を素材として構成される一体成形品である。
【００４６】
センサ保持部材６４は、吐水管４２内の先端側に配置される第１センサ保持部７８と、第１センサ保持部７８より吐水管４２内の奥側に配置される第２センサ保持部８０と、第１センサ保持部７８と第２センサ保持部８０を接続する中間部８２とを有する。
【００４７】
図７、図９に示すように、第１センサ保持部７８は、第１センサケース７０の上面部とは高さ方向Ｙの反対側を向く下面部が載置される複数の載置部７８ａ、７８ｂを有する。複数の載置部７８ａ、７８ｂには、第１センサケース７０の下面部の幅方向Ｘ両側部が載置される一対の第１載置部７８ａと、第１センサケース７０の第１嵌込部７０ａの下面部が載置される第２載置部７８ｂとを有する。第１センサケース７０は、第１センサ保持部７８の載置部７８ａ、７８ｂに固定されない状態で載置される。
【００４８】
第１センサ保持部７８は、第１センサケース７０の下面部と接触する第１載置部７８ａの載置面から立ち上がる段差状の位置決め面７８ｃを有する。位置決め面７８ｃは、第１センサケース７０を挟んだ幅方向Ｘ両側に設けられるとともに、第１センサケース７０を挟んだ管軸方向両側に設けられる。第１センサケース７０は、第１センサ保持部７８の位置決め面７８ｃと接触することにより、管軸方向及び幅方向Ｘに位置決めされる。このように、センサ保持部材６４の第１センサ保持部７８は、複数の載置部７８ａ、７８ｂに載置される第１センサケース７０を管軸方向及び幅方向Ｘに位置決め可能である。第１センサ保持部７８は、第１センサ保持部７８に対する第１センサ部材５６の相対位置を位置決めした状態で第１センサ部材５６を保持する。
【００４９】
図７、図１０に示すように、第２センサ保持部８０は、第２センサケース７２を幅方向Ｘの両側から挟持する一対の挟持部８０ａを有する。一対の挟持部８０ａは、吐水管４２の管軸方向に延びる板状をなし、それぞれの自由端側部分が互いに広がる方向Ｐａに弾性変形可能である。本実施形態では、一対の挟持部８０ａは、第２センサケース７２の幅方向Ｘ外側に広がるように弾性変形可能である。
【００５０】
図１１は、図１０のＣ−Ｃ線断面の一部を示す図である。図７、図１１に示すように、第２センサケース７２と第２センサ保持部８０は、第２センサケース７２とセンサ保持部材６４の相対位置を位置決めするための位置決め構造８４を有する。位置決め構造８４は、第２センサケース７２の側面に設けられる第１位置決め部８４ａと、挟持部８０ａの内面に設けられる第２位置決め部８４ｂと、第２センサケース７２の前面と対向する位置でセンサ保持部材６４に設けられる第３位置決め部８４ｃとを有する。
【００５１】
本実施形態の第１位置決め部８４ａは、第２センサケース７２の側面にて吐水管４２の管軸方向に延びる凸状をなす。第２位置決め部８４ｂは、挟持部８０ａの内面から突出する複数の凸部である。複数の凸部は、第１位置決め部８４ａに高さ方向Ｙの両側から接触するとともに、第１位置決め部８４ａに吐水管４２の管軸方向の奥側から接触する。また、第３位置決め部８４ｃは、第２センサケース７２の前面に吐水管４２の管軸方向の先端側から接触する。これにより、センサ保持部材６４の第２センサ保持部８０は、第２センサケース７２に対する管軸方向や高さ方向Ｙでの相対変位が規制される。一対の挟持部８０ａは、第２センサケース７２を挟持した状態にあるとき、第２センサケース７２に対する管軸方向や高さ方向Ｙでの相対変位が規制される。
【００５２】
図４、図７に示すように、中間部８２は吐水管４２の管軸方向に長い長尺状をなす。中間部８２は、第２センサ部材５８より吐水管４２の管軸方向の先端側に設けられる。中間部８２の上面部には収納溝部８２ａが形成される。収納溝部８２ａは、ヘッドホルダー４４の第１センサ支持部４４ｆ側に凹むとともに管軸方向に延びる溝状をなす。収納溝部８２ａ内には第２配線群６２の一部が収められる。
【００５３】
以上のセンサユニット３８の吐水管４２への組み込み方法の一例を説明する。この組み込み方法には、主に、次の（１）〜（５）の工程が含まれる。
【００５４】
（１）図７に示すように、第１センサ部材５６と第２センサ部材５８を準備する。第１センサ部材５６には第１配線群６０を接続し、かつ、第１センサ部材５６と第２センサ部材５８には第２配線群６２を接続しておく。
【００５５】
（２）図６に示すように、センサ保持部材６４の第１センサ保持部７８に第１センサ部材５６を保持させるとともに、第２センサ保持部８０に第２センサ部材５８を保持させる。本実施形態では、センサ保持部材６４の第１センサ保持部７８には第１センサ部材５６を載置させることで第１センサ部材５６を保持させる。また、センサ保持部材６４の第２センサ保持部８０には、一対の挟持部８０ａにより第２センサ部材５８を挟持させることで第２センサ部材５８を保持させる。これにより、第１センサ部材５６及び第２センサ部材５８の相対位置がセンサ保持部材６４により保持される。
【００５６】
（３）センサユニット３８の第１配線群６０を吐水管４２の先端開口部４２ｅから奥側に押し込む。第１配線群６０は、吐水管４２の内部通路４６を通して流し台１４の裏側空間１４ｂに一部が引き出されるまで押し込む。
【００５７】
（４）図１２は、工程（４）の途中状態の断面図である。第１センサ部材５６、第２センサ部材５８を吐水管４２の先端開口部４２ｅから奥側に向かう方向Ｐｂに押し込む。本実施形態では、センサ保持部材６４により第１センサ部材５６と第２センサ部材５８が一体化されたセンサユニット３８を押し込む。これらは、第２センサ部材５８の第２嵌込部７２ａが吐水管４２の第２窓部４２ｇに嵌め込まれるように吐水管４２内に配置する。本実施形態では、吐水管４２の奥側にセンサユニット３８を押し込み易くするため、吐水管４２の先端開口部４２ｅが上向きに開くように配置しているが、横向きに開くように配置してもよい。
【００５８】
（５）ヘッドホルダー４４を吐水管４２の先端開口部４２ｅから奥側に押し込む。ヘッドホルダー４４は、吐水管４２内の予め定められた配置予定位置に配置されるまで押し込む。ヘッドホルダー４４を押し込むことにより、第１センサ部材５６や第２センサ部材５８がヘッドホルダー４４の第１センサ支持部４４ｆや第２センサ支持部４４ｈにより押し上げられ、これらの吐水管４２内での位置が保持される。この状態で、ヘッドホルダー４４は、締結具４８を用いて吐水管４２に固定する。この後、吐水ヘッド３６や給水ホース３４を吐水管４２に組み込む。
【００５９】
以上のセンサユニット３８の効果を説明する。
前述の（３）のように、複数のセンサ部材５６、５８の組み込み作業では、吐水管４２内を通して外部に第１配線群６０を引き出す作業を要する。ここで、本実施形態のセンサユニット３８では、複数のセンサ部材５６、５８のそれぞれが単数の第１配線群６０を介して吐水管４２外の外部電気機器（電力供給装置２４）に接続される。よって、個々のセンサ部材５６、５８と外部電気機器を個別の配線群を介して接続する構造と比べ、吐水管４２の内部から引き出すべき配線群の個数を削減できる。これにより、複数のセンサ部材５６、５８の組み込み作業に要する配線群の引き出し作業の回数を削減できる。また、吐水管４２内から複数の配線群を引き出す作業が不要となるため、その引き出し作業で複数の配線群が吐水管４２内で絡まる事態を防止できる。これらが相まって、複数のセンサ部材５６、５８の組み込み作業で良好な作業性を得られる。
【００６０】
吐水管４２にセンサ部材５６、５８等の内部部品を組み込むにあたり、内部部品は、吐水管４２の先端開口部４２ｅに入れた指等で動かされつつ、吐水管４２内の配置予定位置に配置される。ここで、第２センサ部材５８は、第１センサ部材５６より吐水管４２の奥側に配置されている。よって、第２センサ部材５８を直接に指等で動かしつつ、吐水管４２内の配置予定位置に配置するとなると、吐水管４２の先端開口部４２ｅから指等が届き難くなる。
【００６１】
この点、本実施形態では、第１センサ部材５６と第２センサ部材５８の相対位置を保持するセンサ保持部材６４を備える。よって、第１センサ部材５６やセンサ保持部材６４を直接に指等で動かすことで、第１センサ部材５６より吐水管４２の奥側に配置された第２センサ部材５８を動かせるようになる。このため、複数のセンサ部材５６、５８の吐水管４２への組み込み作業で、吐水管４２内の奥まった箇所に第２センサ部材５８を配置し易くなり、良好な作業性を得られる。
【００６２】
また、センサ保持部材６４は、第１センサ部材５６や第２センサ部材５８とは別体であるため、他の製品との間で第１センサ部材５６や第２センサ部材５８を共用できる。このため、複数の製品の間で管理すべき部品点数を削減でき、管理コストや部品コストの削減を図れる。
【００６３】
図１０に示すように、本実施形態のセンサ保持部材６４は、第２センサケース７２を幅方向Ｘの両側から挟持する一対の挟持部８０ａを有する。よって、センサ保持部材６４による第２センサケース７２の保持箇所で、第２センサケース７２とヘッドホルダー４４の間にセンサ保持部材６４の一部を配置する場合と比べ、センサユニット３８全体の高さ方向Ｙに沿った高さ寸法を縮小できる。これに伴い、センサ保持部材６４により第２センサ部材５８を保持しつつも、吐水管４２の外径寸法を縮小できる。
【００６４】
センサ保持部材６４の一対の挟持部８０ａは、互いに広がる方向に弾性変形可能である。よって、一対の挟持部８０ａを広げて挟むだけで、センサ保持部材６４により第２センサケース７２を容易に保持できる。
【００６５】
次に、センサユニット３８の他の特徴を説明する。
図７、図９に示すように、センサ保持部材６４の一対の第１載置部７８ａの間には開口部７８ｄが形成される。開口部７８ｄにはヘッドホルダー４４の第１センサ支持部４４ｆが嵌め込まれる。第１センサケース７０は、ヘッドホルダー４４の第１センサ支持部４４ｆに載置されるとともに、センサ保持部材６４の第１載置部７８ａに載置されることで、これらに支持される。
【００６６】
図５、図９に示すように、ヘッドホルダー４４の第１センサ支持部４４ｆに対して幅方向Ｘの両側にはヘッドホルダー４４の第１センサ支持部４４ｆより凹む段部４４ｉが設けられる。センサ保持部材６４の第１載置部７８ａはヘッドホルダー４４の段部４４ｉ上に載置される。これにより、ヘッドホルダー４４の第１センサ支持部４４ｆ上に直接にセンサ保持部材６４を載置するより、ヘッドホルダー４４、センサ保持部材６４、第１センサ部材５６全体の高さ方向Ｙに沿った高さ寸法を削減できる。
【００６７】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００６８】
本実施形態のセンサユニット３８は、互いに分離している個別のセンサケースを有する複数のセンサ部材５６、５８を備える例を説明した。複数のセンサ部材は個数に関して特に限定されない。いずれにしても、複数のセンサ部材のそれぞれは、単数の第１配線群６０を介して吐水管４２の外部の外部電気機器に電気的に接続可能であればよい。
【００６９】
センサ保持部材６４は、複数のセンサ部材の相対位置を保持するものであればよく、その具体的な構造は特に限定されない。たとえば、センサ保持部材６４は、フレキシブル回路基板等でもよい。
【００７０】
センサ保持部材６４の一対の挟持部８０ａは第２センサケース７２を挟持する例を説明した。一対の挟持部８０ａは、第１センサケース７０を挟持してもよい。また、センサ保持部材６４は、第１センサケース７０と第２センサケース７２のそれぞれに対応する一対の挟持部８０ａを有していてもよい。センサ保持部材６４の一対の挟持部８０ａは、センサケースを幅方向Ｘの両側から挟持する例を説明したが、高さ方向Ｙの両側から挟持してもよい。
【００７１】
吐水管４２の内周面との間でセンサケース７０、７２を高さ方向Ｙの両側から挟む内部部品としてヘッドホルダー４４を説明した。この内部部品は、ヘッドホルダーに限定されるものではなく、吐水管４２内に配置される他の内部部品でもよい。
【００７２】
以上の実施形態、変形例により具体化される発明を一般化すると、以下の技術的思想が導かれる。以下、発明が解決しようとする課題に記載の態様を用いて説明する。
【００７３】
第２態様のセンサユニットは、第１態様において、前記複数のセンサ部材には、第１センサ部材と、前記第１センサ部材より前記吐水管の奥側に配置される第２センサ部材とが含まれ、前記第１センサ部材及び前記第２センサ部材の相対位置を保持するセンサ保持部材を備えてもよい。
この態様によれば、第１センサ部材やセンサ保持部材を直接に指等で動かすことで、第１センサ部材より吐水管の奥側に配置された第２センサ部材を動かせるようになる。このため、複数のセンサ部材の吐水管への組み込み作業で、吐水管内の奥まった箇所に第２センサ部材を配置し易くなり、良好な作業性を得られる。
【００７４】
第３態様のセンサユニットは、第２態様において、前記複数のセンサ部材のうちの一方のセンサ部材は、前記吐水管の管軸方向に延びるセンサケースを有し、前記一方のセンサ部材のセンサケースは、前記吐水管の内周面と前記吐水管内に配置される内部部品とにより前記管軸方向に直交する第１方向の両側から挟まれ、前記センサ保持部材は、前記吐水管の管軸方向に直交する断面にて前記第１方向と直交する第２方向の両側から前記一方のセンサ部材のセンサケースを挟持する一対の挟持部を有してもよい。
この態様によれば、センサ保持部材によるセンサケースの保持箇所で、センサケースと内部部品との間にセンサ保持部材の一部を配置する場合と比べ、センサユニット全体の第１方向に沿った寸法を縮小できる。これに伴い、センサ保持部材によりセンサ部材を保持しつつも、吐水管の外径寸法を縮小できる。
【００７５】
第４態様のセンサユニットは、第２または第３態様において、前記センサ保持部材は、前記第１センサ部材及び前記第２センサ部材のうちの一方のセンサ部材のセンサケースを挟持する一対の挟持部を有し、前記一対の挟持部は、互いに広がる方向に弾性変形可能であってもよい。
この態様によれば、一対の挟持部を広げて挟むだけで、センサ保持部材によりセンサケースを容易に保持できる。
【００７６】
第５態様は吐水装置であり、吐水管を有する装置本体と、吐水管内に収容される第１から第４態様のいずれかのセンサユニットと、を備える。
【符号の説明】
【００７７】
１２…吐水装置、２４…電力供給装置（外部電気機器）、３２…装置本体、３８…センサユニット、４２…吐水管、５６…第１センサ部材、５８…第２センサ部材、６０…第１配線群、６２…第２配線群、６４…センサ保持部材、７０…第１センサケース、７２…第２センサケース、８０ａ…挟持部。
【図１】
2019027253.tif 000003
【図２】
2019027253.tif 000004
【図３】
2019027253.tif 000005
【図４】
2019027253.tif 000006
【図５】
2019027253.tif 000007
【図６】
2019027253.tif 000008
【図７】
2019027253.tif 000009
【図８】
2019027253.tif 000010
【図９】
2019027253.tif 000011
【図１０】
2019027253.tif 000012
【図１１】
2019027253.tif 000013
【図１２】
2019027253.tif 000014